(57)【要約】【課題】スライドドア強度及び軽量化の点で優れた車両用スライドドアを提供する。【解決手段】車体に対して少なくとも２つの固定点２１によりスライド可能に連結される車両用スライドドア１であって、スライドドア１の内部側面からの押圧力により固定点２１を中心に回転しようとする動きを抑制する補強部材２２を備えることを特徴とする車両用スライドドア１。この車両用スライドドア１は、鉄製スライドドアであっても良いが、樹脂製スライドドアであることが好ましい。【選択図】図１
2020142638.tif 000002
【特許請求の範囲】
【請求項１】
車体に対して少なくとも２つの固定点によりスライド可能に連結される車両用スライドドアであって、
スライドドアの内部側面からの押圧力により前記固定点を中心に回転しようとする動きを抑制する補強部材を備えることを特徴とする車両用スライドドア。
【請求項２】
固定点の一つが車体前側のクレビス部に位置し、固定点の他の一つが車体後ろ側のドアストライカーとロックがかみ合って固定されている部分である請求項１に記載の車両用スライドドア。
【請求項３】
樹脂製スライドドアである請求項１又は２に記載の車両用スライドドア。
【発明の詳細な説明】
【技術分野】
【０００１】
本発明は、スライドドア強度及び軽量化の点で優れた車両用スライドドアに関する。
【背景技術】
【０００２】
従来の車両用ドアとしては、そのアウターパネル及びインナーパネルが鋼板からなる鉄製ドアが一般的であった。しかし、近年の車両の軽量化の要請から、鋼板に代えて樹脂材料を用いてアウターパネル及びインナーパネルを成形してなる樹脂製ドアが提案されている。また、バックドア等の特定種類の車両用ドアにおいては、実際に樹脂製ドアが実用化されている例もある。
【０００３】
特許文献１及び２には、アウターパネル材料が特定の樹脂材料からなり、インナーパネルが特定の繊維強化樹脂材料からなる自動車用パネル構造体が開示されている。また、この自動車用パネル構造体は、サイドドア、バックドア、スライドドア、フード、ルーフ等のパネル構造体として用いられることが説明されている。
【０００４】
特許文献３には、アウターパネルにリブにより構成される溝を設けてその溝に補強部材を取り付けた樹脂製ドアの補強構造が開示されている。また図面には、その補強部材を取り付けたスイングドア（ヒンジドア）が図示されている。
【０００５】
特許文献４には、アウターパネルにリブを設けてそのリブにサイドインパクトバーを取り付けた樹脂製ドアが開示されている。また図面には、そのサイドインパクトバーを取り付けたスイングドア（ヒンジドア）が図示されている。
【先行技術文献】
【特許文献】
【０００６】
【特許文献１】特開２００５−１１９３８０号公報
【特許文献２】特開２０１０−１９５３９９号公報
【特許文献３】実開昭６２−１６５１２１号公報
【特許文献４】実開昭６２−９５９２６号公報
【発明の概要】
【発明が解決しようとする課題】
【０００７】
樹脂製ドアは軽量化の点で優れているが、通常、鉄製ドアに比べて強度が劣る。したがって樹脂製ドアの実用化の為には、その強度を向上する工夫が必要になる。
【０００８】
先に説明した特許文献３及び４においては、スイングドア（ヒンジドア）にサイドインパクトバー等の補強部材を取り付けることにより強度を向上している。しかし、スイングドアのアウターパネルにリブを設けると、アウターパネルのヒケ等の外観不良を引き起こす恐れがある。
【０００９】
また車両用ドアに要求される強度は、ドアの種類によって様々である。例えばスライドドアについては、車両等の型式認定相互承認協定における協定規則第１１号附則６（スライド式側面扉）で規定される試験法に合格する必要がある。しかし、通常の樹脂製スライドドアでは、この試験法に合格することは困難であると考えられていた。
【００１０】
本発明は、以上の課題を解決する為になされたものである。すなわち本発明の目的は、スライドドア強度及び軽量化の点で優れた車両用スライドドアを提供することにある。
【課題を解決するための手段】
【００１１】
本発明者らは上記目的を達成すべく鋭意検討した結果、スライドドアに特定の樹脂製補強部材を設けることが非常に有効であることを見出し、本発明を完成するに至った。すなわち本発明は、以下の事項により特定される。
【００１２】
［１］車体に対して少なくとも２つの固定点によりスライド可能に連結される車両用スライドドアであって、
スライドドアの内部側面からの押圧力により前記固定点を中心に回転しようとする動きを抑制する補強部材を備えることを特徴とする車両用スライドドア。
【００１３】
［２］固定点の一つが車体前側のクレビス部に位置し、固定点の他の一つが車体後ろ側のドアストライカーとロックがかみ合って固定されている部分である［１］に記載の車両用スライドドア。
【００１４】
［３］樹脂製スライドドアである［１］又は［２］に記載の車両用スライドドア。
【発明の効果】
【００１５】
本発明によれば、スライドドア強度及び軽量化の点で優れた車両用スライドドアを提供できる。
【図面の簡単な説明】
【００１６】
【図１】本発明の車両用スライドドアの一実施形態を示す図である。
【図２】（ａ）は、図１に示した補強部材２２の斜視図であり、（ｂ）は、そのＡ−Ａ'線断面図である。
【図３】車両等の型式認定相互承認協定における協定規則第１１号附則６（スライド式側面扉）で規定される試験法を説明するための模式図である。
【図４】車両用スライドドアの試験において作用する力を説明する為の模式図である。
【発明を実施するための形態】
【００１７】
図１は、本発明の車両用スライドドアの一実施形態を示す図である。この図１に示す車両用スライドドア１は、アウターパネル１１及びインナーパネル１２を備え、車体（不図示）に対して２つの固定点１１によりスライド可能に連結されている。固定点２１の一つは車体前側のクレビス部に位置し、固定点２１の他の一つは車体後ろ側のドアストライカーとロックがかみ合って固定されている部分である。この２つの固定点２１の間には、補強部材２２が設けられている。
【００１８】
図２（ａ）は、図１に示した補強部材２２の斜視図であり、図２（ｂ）は、そのＡ−Ａ'線断面図である。図２（ａ）に示すように、補強部材２２の形状は横方向に延びる帯形状であり、補強部材２２の両端部は２つの固定点２１の位置で固定されている。補強部材２２の両端部以外の部分（張り部分）は固定されていない。補強部材２２の張り部分がアウターパネル１１に当たって音がするのを防止する為に、アウターパネル１１と補強部材２２の間にエプトシーラー等のシーリング材を設けても良い。図２（ｂ）に示すように、補強部材１２の断面形状は２つの凹部を有する。
【００１９】
図１及び図２に示すような補強部材２２を車両用スライドドア１に設けることは、強度を向上する点において非常に効果的である。以下、その点について説明する。
【００２０】
図３は、車両等の型式認定相互承認協定における協定規則第１１号附則６（スライド式側面扉）で規定される試験法を説明するための模式図である。この試験法においては、車両用スライドドア２の内部側面の車体前側及び後ろ側の所定の２つの位置を加圧装置９１により所定圧力で押圧した際に、車両用スライドドア２と車両との隙間が１００ｍｍ以下であることが合格の条件である。
【００２１】
図４は、車両用スライドドアの試験において作用する力を説明する為の模式図である。図４に示すように、上述した試験においては、車両用スライドドア２の内部側面からの押圧力により固定点２１を中心に回転しようとする動き（図４に示す矢印方向の動き）が生じる。そして本発明における補強部材２２は、このような固定点２１を中心に回転しようとする動きを抑制する為の部材である。
【００２２】
本発明における補強部材２２の全体形状並びに断面形状は、図１及び図２に示したような形状であることが好ましい。ただし本発明はこれに限定されず、車両用スライドドア１の内部側面からの押圧力により固定点２１を中心に回転しようとする動きを抑制できるのであれば、どのような形状でも構わない。例えば、図１及び図２に示した補強部材２２の断面形状の凹部は２つであるが、この凹部が３つ以上であっても良いし、凹部が１つでも良いし、凹部が無い平板であっても良い。
【００２３】
本発明における補強部材２２の材質は特に限定されず、車両用スライドドア１の内部側面からの押圧力により固定点２１を中心に回転しようとする動きを抑制できるのであれば、どのような材質でも構わない。例えば、金属製の補強部材は強度に優れており、樹脂製の補強部材は軽量化の点で有利である。本発明においては、特に、強度及びコストの点で優れている鋼板製の補強部材が好ましい。
【００２４】
さらに図１においては、車両用樹脂製スライドドア１の窓１３の周囲のアウターパネル側の窓枠周縁部１１ａ（図１においては不図示）とインナーパネル側の窓枠周縁部１２ａにより窓枠の周縁部が構成されている。そして、アウターパネル側の窓枠周縁部１１ａとインナーパネル側の窓枠周縁部１２ａがリベット３１により固定されている。このリベット３１は窓１３の上側の位置の２か所、窓の左側及び右側の位置の各々３か所に使用されている。これにより、窓枠の固定強度が向上する。
【００２５】
本発明のスライドドアは、樹脂製スライドドアであっても良いし、鉄製スライドドアであっても良い。樹脂製スライドドアは軽量化の点で有利である。鉄製スライドドアは、補強部材１２によって強度が向上するので補強部材１２以外の部分を薄くしたり省略したりすることにより軽量化が図れる。ただし本発明においては、樹脂製スライドドアが好ましい。樹脂製スライドドアにおいて、アウターパネル１１を構成する材料としては、ポリプロピレンコンパウンドが好ましい。インナーパネル１２を構成する材料としては、シートモールディングコンパウンド（ＳＭＣ：樹脂を繊維に含浸させたシート）が好ましい。シートモールディングコンパウンドの樹脂の具体例としては、不飽和ポリエステル樹脂が挙げられる。シートモールディングコンパウンドの繊維の具体例としては、ガラス繊維、炭素繊維が挙げられる。
【実施例】
【００２６】
図１に示した本発明の車両用スライドドアにおいて、補強部材２２を設けた場合の車両用スライドドア（実施例１）と、補強部材２２を設けない場合の車両用スライドドア（比較例１）に対するＣＡＥによる強度（最大変位量）の解析を実施した。
【００２７】
ＣＡＥ解析は、協定規則第１１号附則６（スライド式側面扉）で規定される試験法に基づいて行なった。但し、解析モデルの簡略化の為にドアとボディの勘合部、つまりクレビスとウトライカーは完全固定とした。なお、スライドドアのインナーパネルはガラス繊維を用いたＳＭＣによって成形し、アウターパネルはポリプロピレンコンパウンドによって成形したものとし、補強部材２２はＳＰＣ２７０相当の冷間圧延用鋼材で構成されるものと仮定して解析した。解析結果を表１に示す。
【００２８】
【表１】
2020142638.tif 000003
【産業上の利用可能性】
【００２９】
本発明の車両用スライドドアは、スライドドア強度及び軽量化の点で優れているので、自動車等の各種車両のスライドドアとして非常に有用である。
【符号の説明】
【００３０】
１  車両用スライドドア
２  車両用スライドドア
１１  アウターパネル
１１ａ  アウターパネル側の窓枠周縁部
１２  インナーパネル
１２ａ  インナーパネル側の窓枠周縁部
１３  窓
２１  固定点
２２  補強部材
３１  リベット
３２  窓ガラス保持用弾性部材
３３  窓ガラス
９１  加圧装置
【図１】
2020142638.tif 000004
【図２】
2020142638.tif 000005
【図３】
2020142638.tif 000006
【図４】
2020142638.tif 000007